(57)【要約】  ネジ／セメント維持型補綴の施術方法およびアバットメントが開始される。ネジ／セメント維持型補綴の施術方法は、歯槽骨にフィクスチャーを植え込み、第１スクリューホールを含むアバットメントをスクリューによってフィクスチャーに結束し、第１スクリューホールに対応して形成された第２スクリューホールを含む補綴物を提供し、アバットメントと補綴物との間に歯科用セメントを介在して補綴物およびアバットメントを合着する。ネジ維持型補綴およびセメント維持型補綴の利点をともに含み、両方式の欠点を解決することができる。また、合着されたアバットメントおよび補綴物を容易に分離および再装着するために、収容部に余裕空間を提供することができる余裕孔を形成する。
2006520248.tif 000002
【特許請求の範囲】
【請求項１】
第１スクリューホールを含むアバットメントをスクリューによってフィクスチャーに再位置させて結束する段階；
前記第１スクリューホールに対応して形成された第２スクリューホールを含む補綴物を提供する段階；および
前記アバットメントと前記補綴物との間に歯科用セメントを介在して前記補綴物および前記アバットメントを合着する段階；
を含むことを特徴とする、ネジ／セメント維持型インプラントの施術方法。
【請求項２】
前記第２スクリューホールを通じて前記スクリューを除去し、合着された前記補綴物および前記アバットメントを前記フィクスチャーから分離し、残余セメントを除去し、前記補綴物の辺縁を研磨することを特徴とする、請求項１に記載のネジ／セメント維持型インプラントの施術方法。
【請求項３】
前記フィクスチャーの上端に形成された結合突起に対応して、前記アバットメントの下端には収容部が形成され、前記収容部は、前記結合突起の上端部と密着する密着孔、および前記結合突起が前記収容部で容易に移動するように余裕空間を提供する余裕孔に区分され、前記余裕孔によって前記補綴物が前記アバットメントから容易に分離されるかまたは前記アバットメントに容易に密着されることを特徴とする、請求項１に記載のネジ／セメント維持型インプラントの施術方法。
【請求項４】
前記結合突起および前記密着孔は非円形に形成されることを特徴とする、請求項３に記載のネジ／セメント維持型インプラントの施術方法。
【請求項５】
前記余裕孔は前記密着孔の下端から斜めに形成されて、前記結合突起の分離および密着に必要な余裕空間を提供し、前記結合突起の進入を案内することを特徴とする、請求項３に記載のネジ／セメント維持型インプラントの施術方法。
【請求項６】
前記余裕孔は前記密着孔の下端から階段形に形成されて、前記密着孔より大きい寸法を有する円柱状または多角柱状の余裕空間を提供することを特徴とする、請求項３に記載のネジ／セメント維持型インプラントの施術方法。
【請求項７】
所定の間隔で離隔して植え込まれた複数の前記フィクスチャーに前記アバットメントがそれぞれ結束され、前記補綴物は前記アバットメントと同時に合着されることを特徴とする、請求項１に記載のネジ／セメント維持型インプラントの施術方法。
【請求項８】
第１スクリューホールを含むアバットメントがスクリューによってフィクスチャーに結束され、前記アバットメント上に補綴物が合着されたインプラントを提供する段階；
前記第１スクリューホールに対応して、前記補綴物に第２スクリューホールを形成する段階；および
前記第１および第２スクリューホールを通じて前記スクリューを解いて、前記補綴物および前記アバットメントを前記フィクスチャーから分離する段階を含むことを特徴とする、ネジ／セメント維持型インプラント施術方法。
【請求項９】
前記補綴物は、低層に形成されて前記アバットメントを直接収容する金属フレームワーク、および前記金属フレームワーク上に形成されたポーセレンを含み、前記金属フレームワークは、前記第２スクリューホールを形成するために、前記第１スクリューホールに対応するホールを含むことを特徴とする、請求項８に記載のネジ／セメント維持型インプラントの施術方法。
【請求項１０】
前記補綴物はポーセレンで構成されることを特徴とする、請求項８に記載のネジ／セメント維持型インプラントの施術方法。
【請求項１１】
ネジ／セメント維持型インプラント用アバットメントにおいて、
本体を上下に貫通して形成されたスクリューホール；および
前記フィクスチャーの上端に形成された結合突起を収容し、前記結合突起の上端部と密着する密着孔、および前記結合突起が容易に分離および密着するように余裕空間を提供する余裕孔を含む収容部；
を含むことを特徴とする、ネジ／セメント維持型インプラント用アバットメント。
【請求項１２】
前記結合突起の上端部形状に対応して、前記密着孔は非円形に形成されることを特徴とする、請求項１１に記載のネジ／セメント維持型インプラント用アバットメント。
【請求項１３】
前記結合突起の上端部形状に対応して、前記密着孔は円形に形成されることを特徴とする、請求項１１に記載のネジ／セメント維持型インプラント用アバットメント。
【請求項１４】
前記収容部の深さに対する前記密着孔の深さの比は１０％〜８０％であることを特徴とする、請求項１１に記載のネジ／セメント維持型インプラント用アバットメント。
【請求項１５】
前記余裕孔は前記密着孔の下端から斜めに形成されて、前記結合突起の進入を案内することを特徴とする、請求項１１に記載のネジ／セメント維持型インプラント用アバットメント。
【請求項１６】
前記斜めに形成された前記余裕孔の内面は円錐状に形成されることを特徴とする、請求項１５に記載のネジ／セメント維持型インプラント用アバットメント。
【請求項１７】
前記斜めに形成された前記余裕孔の内面は２〜４５°の角度に形成されることを特徴とする、請求項１５に記載のネジ／セメント維持型インプラント用アバットメント。
【請求項１８】
前記余裕孔は、前記密着孔の下端から階段形に形成され、前記密着孔より大きい寸法を有する円柱状または多角柱状の余裕空間を提供することを特徴とする、請求項１１に記載のネジ／セメント維持型インプラント用アバットメント。
【請求項１９】
前記余裕孔は、前記密着孔の下端から斜めに形成されて、前記結合突起の進入を案内するための傾斜形余裕空間、および前記傾斜余裕孔の下端から階段形に形成され、前記傾斜余裕孔の下端より大きい寸法を有する円柱状または多角柱状の階段形余裕空間を提供することを特徴とする、請求項１１に記載のネジ／セメント維持型インプラント用アバットメント。
【請求項２０】
前記結合突起の上端部形状に対応して、前記密着孔は多角柱状に形成され、前記余裕孔は前記密着孔の下端から斜めに形成されて前記結合突起の進入を案内し、前記密着孔と前記余裕孔の連結部位のうち、前記収容部の入口に隣接した一部は部分的に湾入して前記結合突起の移動を円滑にすることを特徴とする、請求項１１に記載のネジ／セメント維持型インプラント用アバットメント。
【発明の詳細な説明】
【技術分野】
【０００１】
本発明はインプラントの施術方法およびアバットメントに係り、より詳しくは、施術が簡単でインプラントの組み立ておよび分解が容易なインプラントの施術方法およびその施術方法に使用されるインプラント用アバットメントに関するものである。
【背景技術】
【０００２】
歯牙用インプラント（ｄｅｎｔａｌ ｉｍｐｌａｎｔ）は、部分的にまたは全体的に歯牙が除去された部位に人工歯根を植えて歯槽骨に固着させ、その人工歯根に歯牙補綴（ｐｒｏｓｔｈｅｓｉｓまたはｃｒｏｗｎ）を固定して形成した人工歯牙構造、またはこのような歯科施術方法を意味する。一般的に、インプラントはチタンで構成されたフィクスチャー（ｆｉｘｔｕｒｅ）、フィクスチャー上に固定されるアバットメント（ａｂｕｔｍｅｎｔ）、アバットメントをフィクスチャーに固定するアバットメントスクリュー（ａｂｕｔｍｅｎｔ ｓｃｒｅｗ）、およびアバットメントに固定される人工歯牙としての補綴（ｐｒｏｓｔｈｅｓｉｓ）で構成される。
【０００３】
インプラントは損失された歯牙周辺の隣接歯牙または周囲の組職を損傷させずに、損失された部分にだけ施術が可能であり、骨組職を支持して骨組職の吸収速度を引き延ばさせ、自然歯牙と同一の咀嚼力を提供することができ、見掛け上自然歯牙とほとんど同じな審美感を与えることができる。
【０００４】
したがって、最近インプラントは損傷または損失された歯牙を収復するための歯科施術方法として広く使われている。
【０００５】
従来のインプラントは、インプラントの施術方法にしたがって、ネジ維持型補綴（Ｓｃｒｅｗ Ｒｅｔａｉｎｅｄ Ｐｒｏｓｔｈｅｓｉｓ；ＳＲＰ）とセメント維持型補綴（Ｃｅｍｅｎｔ Ｒｅｔａｉｎｅｄ Ｐｒｏｓｔｈｅｓｉｓ；ＣＲＰ）に区分されることができる。
【０００６】
ネジ維持型補綴（ＳＲＰ）
ネジ維持型補綴は、インプラントが最初に開発されて以来、今までも使用される補綴方法である。ネジ維持型補綴は、基本的にスクリューによって最終補綴物がインプラントに固定され、スクリューによって結合されるため、補綴物を容易に分離するかまたは入れ替えることができる。ネジ維持型補綴は、大きく２方式がある。一つは、ＵＣＬＡというアバットメント上に完成された補綴物がＵＣＬＡアバットメントと一体になってフィクスチャーに直接連結される方式であり、ほかの一つは、フィクスチャーに中間アバットメントであるトランスムコサルアバットメント（ｔｒａｎｓｍｕｃｏｓａｌ ａｂｕｔｍｅｎｔ）を連結した後、上部アバットメント（ｇｏｌｄ ｃｙｌｉｎｄｅｒ）をその上に連結し、上部アバットメントとともに最終補綴物を作って中間アバットメント（ｔｒａｎｓｍｕｃｏｓａｌ ａｂｕｔｍｅｎｔ）上に装着および分離する方式である。
【０００７】
図１ａは従来のＵＣＬＡアバットメントを用いたネジ維持型補綴を示す断面図である。
【０００８】
図１ａを参照すれば、ＵＣＬＡアバットメントを用いたネジ維持型補綴１０は、歯槽骨に植え込まれるフィクスチャー１２および補綴物１８と一体をなし、フィクスチャー１２上に配置されるアバットメント１４を含む。補綴物１８およびアバットメント１４は外部で一体に形成され、中心を貫通するホールが形成される。
【０００９】
スクリュー１６はホールを通じてフィクスチャー１２に締結されることにより、補綴物１８およびアバットメント１４がフィクスチャー１２に固定される。
【００１０】
図１ｂは従来の中間アバットメントを用いたネジ維持型補綴を示す断面図である。
【００１１】
図１ｂを参照すれば、中間アバットメントを用いたネジ維持型補綴２０は、フィクスチャー２２、中間アバットメント２４、および補綴物２８と一体をなして中間アバットメント２４上に配置される上部アバットメント２６を含む。中間アバットメント２４は第１スクリュー２３に対応するホールを含み、第１スクリュー２３は中間アバットメント２４を通じてフィクスチャー２２と締結されることにより、中間アバットメント２４をフィクスチャー２２に固定させる。
【００１２】
補綴物２８および上部アバットメント２６に貫設されたホールを通じて第２スクリュー２５が挿入され、第２スクリュー２５が第１スクリュー２３の上部に形成されたネジホールに結束されることにより、補綴物２８および上部アバットメント２６を中間アバットメント２４に固定させる。
【００１３】
図１ａおよび図１ｂに示すように、最終補綴物１８、２８の下部には、フィクスチャーまたは中間アバットメントの上部形状と一致する既成部品（たとえば、ＵＣＬＡアバットメント１４、上部アバットメント２６）が内在しており、これらは、補綴物を鋳造すると同時に形成されて補綴物と一体をなす。
【００１４】
ネジ維持型補綴の最大の特徴は、補綴物の交合面にスクリューホールが形成されており、前記スクリューホールを通じてスクリューとフィクスチャー間の結合を調節することができるということである。したがって、ネジ維持型補綴は次のような利点を有する。
【００１５】
一つ目、補綴物が完成されて口腔内に装着された後にも、必要時に補綴物を容易に分離および再装着することができる。
【００１６】
インプラント補綴を使用する途中、補綴物が予期しなく破切して修理または交換が必要な場合、連結されたスクリューが自然に解けて、スクリューを締め付けなければならない場合、インプラントを施術された患者が、装着された補綴物に対して不便を訴える場合、または多数のインプラントフィクスチャーのなかで一部が失敗した場合などには、補綴物をフィクスチャーから分離することにより、修理および再装着が容易に行える。
【００１７】
ネジ維持型補綴は、このような場合にとても便利に補綴物を分離することができる。すなわち、スクリューホールを通じてスクリューを解くことにより、補綴物を損傷なしに分離することができ、スクリューを締め付けることにより再装着することができる。
【００１８】
二つ目、ネジ維持型補綴は対面歯との間隔が小さくても施術が可能であることである。たとえば、インプラントと対面歯との距離が約５ｍｍ以上のみになってもＵＣＬＡアバットメントを使って補綴物を製作することができる。
【００１９】
しかし、ネジ維持型補綴は前記必須な要件を満たす代わりに、致命的な欠点を持っている。
【００２０】
ネジ維持型補綴は、補綴物が下部構造であるフィクスチャーと受動的な適合（ｐａｓｓｉｖｅ ｆｉｔ）をなさなければならないため、ほぼ完壁に精密に加工されなければならない。したがって、ネジ維持型補綴は製作術式が複雑であり、製作時間および製作費用が過度に必要となることができる。
【００２１】
また、完璧に加工および装着されなければ、多くの応力がインプラントに加えられることができ、過度な応力は結局インプラント周囲の骨の消失または補綴物またはインプラント自体の破切をもたらす場合が多い。
【００２２】
ネジ維持型補綴で頻繁に発生する問題点はネジの解け現象である。一部の報告によると、ネジ維持型インプラント補綴の約２５−３０％でネジの解けが起ると言う。すなわち、よく合わないインプラント補綴は、よく合うものに比べて、少ない交合力によってもネジが易しく伸びて永久的変形を起こすことにより、よく解けることになるものである。
【００２３】
前記問題点を解決するために、ネジ維持型補綴は受動的な適合によって固定されなければならない。口腔内で受動的な適合をなす補綴を製作するためには、まず精密な作業模型が作られなければならなく、その上に精密な補綴が製作されなければならない。
【００２４】
正確で精密な作業模型を作るために、精密な印象形成（ｉｍｐｒｅｓｓｉｏｎ ｍａｋｉｎｇ）、精密な作業模型の製作、および精密な補綴物の製作が必須に行われなければならない。しかし、材質の収縮および変形などを勘案すると、このような作業は高度の熟練度を要し、製作過程の特性上、かなり多い診療時間および製作時間を要する。したがって、治療費用だけでなく、製作費用も高くなり、材料費もかなり高い。したがって、ネジ維持型補綴は全体費用が高価であるしかない。
【００２５】
セメント維持型補綴（ＣＲＰ）
従来のセメント維持型補綴ＣＲＰは、ネジ維持型とは違い、インプラントフィクスチャーにセメント型アバットメントをスクリューによって固定し、別に製作された最終補綴物を固定されたアバットメント上に配置し、その間に歯科用セメントを介在して最終補綴物とアバットメントを合着する方式である。
【００２６】
図２は従来のセメント維持型補綴を示す断面図である。
【００２７】
図２を参照すれば、従来のセメント維持型補綴３０は、フィクスチャー３２、セメント型アバットメント３４、および補綴物３８を含む。歯槽骨に植え込まれたフィクスチャー３２に、スクリューホールが形成されたアバットメント３４を配置し、スクリューホールを通じてスクリュー３６をフィクスチャー３２に締結してアバットメント３４を固定する。
【００２８】
固定されたアバットメント３４に補綴物３８を嵌合し、その間に歯科用セメントを介在してアバットメント３４および補綴物３８を合着する。ネジ維持型補綴とは違い、補綴物３８をアバットメント３４から分離して製造した後、補綴物３８とアバットメント３４を歯科用セメントで合着する。
【００２９】
したがって、従来のセメント維持型補綴の最大の見掛け上特徴は補綴物の交合面にスクリューホールがないということである。したがって、ネジ維持型補綴とは違い、見掛け上人工歯牙の表示が目立たなく、自然歯のように自然な見掛けを形成することができるが、一旦、補綴物を装着した後には、スクリューを解いて補綴物を分離することができない。
【００３０】
セメント維持型補綴はネジ維持型が有する欠点を全て解決する。すなわち、セメント維持型補綴は、１）フィクスチャーと補綴物との間に受動的な適合（ｐａｓｓｉｖｅ ｆｉｔ）を易しくなすことができ、その結果、２）補綴物の連結時、フィクスチャーに加えられる応力が減少し、３）ネジの解けが少なく発生し、４）臨床術式および製造過程が簡単であり、５）時間を節約することができ、６）製作費用が低くかかる。
【００３１】
なによりも、セメント維持型補綴の最大利点は、補綴物とアバットメント間の不適合性を補綴物及とアバットメント間の空間、およびその空間に充填される歯科用セメントによって簡単に解決することができるということである。高難度の精密度を要求するネジ維持型に比べると、セメント維持型補綴は、幾つかの原則のみ守ったら印象過程または手作業過程が簡単であり、インプラントと補綴物間に受動的な適合を得ることができる。
【００３２】
この理由のため、このごろはネジ維持型よりセメント維持型がもっと選好されている。
【００３３】
しかし、前述したように、セメント維持型補綴は、補綴物の分離および再装着が容易でないという欠点を有する。セメント維持型から補綴物を分離することができる唯一の方法は、外力を加えてインプラントから除去することである。一例として、単一セメント維持型補綴の場合、スクリューの解けが頻繁に起ることができ、この場合、臨時セメントを使ったとしても、ネジ部または補綴物の損傷なしに補綴物を除去するということはほとんど不可能である。多数のインプラントが一体をなす補綴においては、多数のアバットメントによって維持力が増加するため、補綴物の除去が一層難しくなる。
【００３４】
セメント維持型補綴のほかの問題点は、顎間距離が不足な場合、施術が難しいということである。実際に、顎間距離が不足な場合がとても多いが、この場合にセメント維持型を使えば、アバットメントの長さが短くなり、アバットメントがあまり短くなれば維持力が減少するので、補綴物が脱落するおそれが高くなる。
【００３５】
また、セメント維持型のさらにほかの問題点は、補綴物をセメントに合着した後、口腔内で残っているセメントをまったく除去し難いということである。残余セメントをまったく除去しなければ、長期的にインプラント周囲の歯肉に炎症が発生するので、インプラントが失敗する原因になることができる。
【００３６】
従来のインプラントがその施術方法によってネジ維持型補綴ＳＲＰおよびセメント維持型補綴ＣＲＰに区分できるとすると、従来のインプラントはその結合構造によって外部結合型インプラント（ｅｘｔｅｒｎａｌ ｉｍｐｌａｎｔ）および内部結合型インプラント（ｉｎｔｅｒｎａｌ ｉｍｐｌａｎｔ）に区分できる。
【００３７】
図１ａ、図１ｂおよび図２に示すように、フィクスチャー１２、２２、３２の上端に結合突起が形成され、アバットメント１４、２４、３４が結合突起を収容する結合構造を有するものが外部結合型インプラントである。
【００３８】
これと反対に、内部結合型インプラントにおいては、アバットメントの下端部に結合突起が形成され、フィクスチャーの上端に結合突起を収容するための結合孔を含む。
【００３９】
図３は従来の内部結合型インプラントを説明するための断面図である。図３には、２種類の内部結合型インプラントがそれぞれａおよびｂで表示されており、セメント維持型補綴（ＣＲＰ）に属する。
【００４０】
図３のａを参照すれば、内部結合型インプラントは、フィクスチャー４２、内部結合型アバットメント４４、スクリュー４６、および補綴物４８で構成される。フィクスチャー４２は上端部に結合孔を含み、結合孔に対応して、アバットメント４４は結合突起４５を含む。アバットメント４４の本体下端に結合突起４５が形成され、本体上部には、歯科用セメントによって補綴物４８と合着される合着部が形成される。
【００４１】
フィクスチャー４２の結合孔は、入口側に位置した円錐柱状の孔とその下端に形成された六角柱状の孔を含み、アバットメント４４の結合突起４５は、結合孔の形状に対応して、円錐柱状の密着部４５ａと六角柱状の回転防止部４５ｂを含む。アバットメント４４の結合突起４５がフィクスチャー４２に挿入されるにつれて、密着部４５ａはアバットメント４４の本体を支持し、回転防止部４５ｂは結合孔下部と結束されることにより、アバットメント４４がフィクスチャー４２に対して相対的に回転することを防止する。
【００４２】
しかし、回転防止部４５ｂは、六角柱、八角柱またはその他の多角柱状に形成されるため、回転防止部４５ｂをフィクスチャー４２から分離するためには、アバットメント４４が必ず軸方向に後退しなければならない。
【００４３】
図３のｂを参照すれば、内部結合型インプラントは、フィクスチャー５２、内部結合型アバットメント５４、スクリュー５６、および補綴物５８で構成される。フィクスチャー５２は上端部に結合孔を含み、結合孔に対応して、アバットメント５４は結合突起５５を含む。アバットメント５４の本体下端に結合突起５５が形成され、本体上部には歯科用セメントによって補綴物５８と合着される合着部が形成される。
【００４４】
従来のフィクスチャー５２において、結合孔は円柱状、または多角形の断面を有する角柱状の孔に形成され、それに対応するアバットメント５４の結合突起５５も円柱状または角柱状に形成される。特に、円柱状の結合突起を用いる場合、結合突起と結合孔間の回転を制限するために、突起または孔を使用することができる。
【００４５】
図３のｂに示す内部結合型インプラントの構造において、結合突起および結合孔が柱状に形成されているため、結合突起５５をフィクスチャー５２から分離するために、アバットメント５４は必ず軸方向に後退しなければならない。この際、軸方向にだけ移動しなければならない距離もかなり長い。
【発明の開示】
【発明が解決しようとする課題】
【００４６】
上述したように、ネジ維持型とセメント維持型補綴の長短所を要約すれば、ネジ維持型は、補綴物の装着および分離が自由であり、小さい顎間距離でも使用可能な利点があるが、受動的な精密な適合をなしにくく、ネジの分解が頻繁であり、精密な臨床過程および手作業過程が必要であり、費用と時間がかなりかかる欠点がある。
【００４７】
一方、セメント維持型は、受動的な適合を易しくなすことができ、臨床および手作業過程が簡単であり、時間と費用が少しかかるなどの多くの利点を有するが、一旦補綴物とアバットメントを合着させた後には、補綴物を容易に分離することができないため、補綴物の補修が難しく、口腔内で残余セメントを除去しにくく、補綴物との境界部がよく適合しない場合、境界部を研磨することができないという欠点を持っている。
【００４８】
したがって、本発明の一目的は、二つの補綴方式の利点を採用するとともに欠点を解決することができる第３の補綴方式を提供することである。すなわち、臨床および手作業過程が簡単であり、時間と費用が少しかかるとともに受動的な適合を易しくなすことができ、ネジがよく解けなく、小さい顎間距離でも適用が可能であり、補綴物の修理および補修が容易であり、歯肉縁下の残余セメントを易しく除去することができ、補綴物の境界部を研磨することができ、必要時にいつでも損傷なしに補綴物を分離および再装着することができるインプラント施術方法およびアバットメントを提供することである。
【００４９】
また、本発明のほかの目的は、フィクスチャーとアバットメント間の軸線が正確に一致しなくても容易に装着および分離することができるインプラント施術方法およびアバットメントを提供することである。
【課題を解決するための手段】
【００５０】
上述した目的を達成するための本発明の望ましい実施例によれば、歯槽骨にフィクスチャーを植え込む段階；第１スクリューホールを含むアバットメントをスクリューを用いてフィクスチャーに結束する段階；第１スクリューホールに対応して形成された第２スクリューホールを含む補綴物を提供する段階；および補綴物とアバットメントとの間に歯科用セメントを介在して補綴物およびアバットメントを合着する段階を含む。
【００５１】
歯科用セメントを用いて補綴物およびアバットメントを合着するため、セメント維持型補綴ＣＲＰの特徴を含み、第１および第２スクリューホールを通じてスクリューを締め付けるかまたは解くことができるので、ネジ維持型補綴ＳＲＰの特徴も含む。言い換えれば、アバットメントをフィクスチャーに締結して補綴物をアバットメント上に覆いセメントで合着することができるので、受動的な精密適合が可能であり、施術が迅速で簡単である。また、補綴物に第２スクリューホールを形成して、スクリューの解れおよび締め付けが可能であり、これにより補綴物をフィクスチャーから容易に分離および再装着することができる。したがって、歯科用セメントとして永久セメントを使用することができる。
【００５２】
本発明によるインプラント施術方法は、ネジ維持型およびセメント維持型の利点をともに適用して各方法の欠点を解決したものであり、ネジ／セメント維持型補綴（Ｓｃｒｅｗ−Ｃｅｍｅｎｔ Ｒｅｔａｉｎｅｄ Ｐｒｏｓｔｈｅｓｉｓ）またはネジ／セメント維持型インプラントと言える。以下ＳＣＲＰインプラントと言う。
【００５３】
具体的に、ＳＣＲＰインプラントの施術方法において、歯科用セメントを用いて補綴物およびアバットメントを合着する前に、補綴物を試適する。補綴物の試適とは、補綴物がアバットメントによく適合するか否かを判断するための過程であって、歯科用セメントなしに補綴物およびアバットメントを互いに合わせ、補綴物およびアバットメントがよく適合するか否かを確認する
また、補綴物およびアバットメントを合着する前に、ガーゼ（ｇａｕｚｅ）または綿球（ｃｏｔｔｏｎ ｂａｌｌ）のような補助充填材で第１スクリューホールを満たすことができる。なぜなら、永久セメントのような歯科用セメントが合着過程で第１スクリューホールに流入して第１スクリューホールを塞ぐことができるからであり、これを防止するために、補助充填材が使用できる。
【００５４】
セメント維持型インプラントＣＲＰとは違い、ＳＣＲＰインプラントによる補綴物およびアバットメントは、合着後にも容易にフィクスチャーから分離することができる。第２スクリューホールを通じてスクリューを解いて、補綴物およびアバットメントを分離することができるため、合着過程後の残余セメントをきれいに除去することができ、補綴物の辺縁を研磨してインプラント施術を完璧に仕上げることもできる。
【００５５】
上述した目的を果たすための本発明の望ましい実施例によれば、ＳＣＲＰアバットメントはエクスターナル（ｅｘｔｅｒｎａｌ）フィクスチャーに使用される一種のセメント維持型インプラントアバットメントであり、本体を上下に貫通して形成されたスクリューホールおよびフィクスチャーの上端に形成された結合突起を収容して、前記結合突起の上端部と密着する密着孔および前記結合突起が容易に分離および密着するように余裕空間を提供する余裕孔を含む収容部を含む。
【００５６】
本発明によるＳＣＲＰアバットメントは、基本的にセメント維持型補綴に使用されるアバットメントと類似した構造を有する。ただ、ＳＣＲＰアバットメントは密着孔および余裕孔に区分される収容部を有することを特徴とする。密着孔と余裕孔を特徴とするＳＣＲＰアバットメントの適用例としては、既存のセメント維持型アバットメントの外にも、チタンセメント維持型アバットメント、ゴールドセメント維持型アバットメント、ゴールド−プラスチックＵＣＬＡアバットメント、プラスチックＵＣＬＡアバットメント、および臨時アバットメントなどがあり、印象用コーピングのうち、ピックアップインプレッションコーピングも可能である。そのほかにも、エクスターナルヘキサインプラントおよび手作業用アナログ上部に結合して使用される、本発明の特徴を有するすべての部品が適用可能である。
【００５７】
密着孔は、アバットメントの連結時、結合突起のようなフィクスチャーの結合部に密着してアバットメントとフィクスチャー間の相対的な移動を制限して、アバットメントの方向を一定にセットすることができるようにする。密着孔は、一般的に、エクスターナルヘキサ−フィクスチャー（ｅｘｔｅｒｎａｌ ｈｅｘａ−ｆｉｘｔｕｒｅ）の六角柱状に対応して形成されるが、フィクスチャーの結合突起または結合孔の形状に対応して円形に形成されることができ、また多角形柱、多角錐または円筒状柱に結合突起がある非円形（ｎｏｎ−ｃｉｒｃｌｅ）に形成されることもできる。フィクスチャーの結合突起およびアバットメントの密着孔が非円形に形成される場合、アバットメントがフィクスチャー上で回転することを防止することができ、アバットメントを容易に再位置させることができる。
【００５８】
余裕孔は密着孔の下部に位置し、フィクスチャーの結合突起と収容部との間に余裕空間を提供して、結合突起が収容部に余裕に密着および分離されるようにする。具体的に、余裕孔は密着孔の下端から円錐状のように斜めに形成されて、結合突起の進入を案内することができ、密着孔の下端から階段形に形成され、密着孔より大きい寸法を有する円柱状または多角柱状の余裕空間を提供することができる。
【００５９】
密着孔の深さは収容部の深さの約１０〜８０％であることが望ましいが、これに必ず限定されるものではなく、アバットメントの相対的な回転を防止することができるとともにアバットメントおよび補綴物の一体を容易に分離することができれば、それより小さいか大きい深さに形成されることができる。
【００６０】
本発明のＳＣＲＰアバットメント構造は、複数のアバットメントと一つの補綴物が一体に形成された場合に有用に使用されることができる。
【００６１】
たとえば、複数のフィクスチャーを歯槽骨に植え込む場合、一般的に、複数のフィクスチャーがあるほどの角度だけ相互傾いて植え込まれることが一般的である。
【００６２】
ところが、従来の六角形態のセメント維持型アバットメントを用いて形成されたＳＣＲＰ補綴部は、アバットメントとフィクスチャーの結合突起との間に十分な余裕空間を有することができない。すなわち、補綴部をフィクスチャーから分離する時、アバットメントは各収容部の長手方向に分離しなければならない。しかし、各収容部および結合突起の方向は互いに一致しないため、補綴部がフィクスチャーから分離しないことがある。
【００６３】
しかし、本発明によるアバットメントを用いて形成されたＳＣＲＰ補綴部は、収容部に形成された余裕孔によって余裕空間を生成することができる。すなわち、補綴部をフィクスチャーから分離する時、フィクスチャーの結合突起が密着孔から離脱しながら結合突起は余裕孔を通じて所定の範囲内で動くことができ、余裕孔によって提供される余裕空間によってＳＣＲＰ補綴部はフィクスチャーから分離されることができる。
【発明を実施するための最良の形態】
【００６４】
以下、添付した図面に基づいて、本発明の実施例を詳細に説明するが、下記実施例によって本発明が限定あるいは制限されることはない。
【実施例１】
【００６５】
図３は本発明の第１実施例によるＳＣＲＰインプラントの断面図であり、図４ａ〜図４ｆは第１実施例によるＳＣＲＰインプラントの施術方法を説明するための断面図である。
【００６６】
図３を参照すれば、第１実施例によるＳＣＲＰインプラント１００は、フィクスチャー１１０、アバットメント１２０、スクリュー１３０、および補綴物１４０を含む。
【００６７】
フィクスチャー１１０は外面に形成されたネジ部１１４を含み、フィクスチャー１１０はネジ部１１４に沿って歯槽骨に植え込まれる。植え込まれたフィクスチャー１１０のネジ部１１４は歯槽骨の組職と融合して歯槽骨に固定され、ネジ部１１４および歯槽骨組職間の融合には相当な期間が必要となる。
【００６８】
フィクスチャー１１０の上面には六角柱状の結合突起１１２が形成され、結合突起１１２の中心線に沿ってフィクスチャー１１０には、スクリュー１３０に対応するネジホールが形成される。
【００６９】
アバットメント１２０は結合突起１１２を収容するための収容部を含み、収容部は結合突起１１２の形状に対応して六角柱状に形成される。アバットメント１２０の中心には第１スクリューホール１２４が形成され、第１スクリューホール１２４を通じてスクリュー１３０はフィクスチャー１１０と締結される。
【００７０】
また、ＳＣＲＰインプラント１００の補綴物１４０は第２スクリューホール１４４を含む。補綴物１４０は金属フレームワーク（ｍｅｔａｌ ｆｒａｍｅ ｗｏｒｋ）およびポーセレン（ｐｏｒｃｅｌａｉｎ）の重層構造または金属自体だけで製造され、補綴物１４０には、第１スクリューホール１２４に対応して第２スクリューホール１４４が形成される。第２スクリューホール１４４はアバットメント１２０をフィクスチャー１１０に固定するための用途よりは、合着されたアバットメント１２０および補綴物１４０をフィクスチャー１１０から分離するかまたはフィクスチャー１１０に再装着するための用途に使用される。
【００７１】
アバットメント１２０の外面１２２および補綴物１４０の内面１４２はほぼ対応する形状を有するが、まったく一致しない。すなわち、アバットメント１２０と補綴物１４０との間に余裕空間を提供することにより、補綴物１４０がアバットメント１２０に受動的に適合することができる。
【００７２】
アバットメント１２０と補綴物１４０との間には歯科用セメント１５０が介在されることにより、アバットメント１２０および補綴物１４０を合着する。
【００７３】
以下添付図面に基づいて、前記ＳＣＲＰインプラント１００の施術方法を説明する。
【００７４】
図４ａを参照すれば、歯槽骨に四つのフィクスチャー１１０が植え込まれており、フィクスチャー１１０は互いに平行でなくて一定角度だけ互いに傾いて植え込まれている。したがって、フィクスチャー１１０の上面に形成された結合突起１１２もそれぞれ異なる方向に向かう。
【００７５】
図４ｂを参照すれば、四つのフィクスチャー１１０にそれぞれアバットメント１２０ａ、１２０ｂ、１２０ｃが固定される。アバットメント１２０ａ、１２０ｂ、１２０ｃはスクリュー１３０によってフィクスチャー１１０に固定される。
【００７６】
しかし、各フィクスチャー１１０の植え込まれた方向が相違するため、加工される前のアバットメントによっては補綴物１４０を合わせることができない。したがって、アバットメント１２０ａ、１２０ｂ、１２０ｃはそれぞれほぼ垂直な壁面を形成しなければならなく、垂直な壁面を形成するために、アバットメント１２０の壁面またはマージンを部分的に切削するかまたは除去することができる。
【００７７】
図４ｃを参照すれば、四つのフィクスチャー１１０にそれぞれアバットメント１２０ａ、１２０ｂ、１２０ｃ、１２０ｄが固定されており、各アバットメント１２０ａ、１２０ｂ、１２０ｃ、１２０ｄはフィクスチャー１１０の植え込まれた角度および補綴物１４０の進入角度を考慮して形成される。
【００７８】
口腔内においても、ハンドミリングによって高速または低速でアバットメント１２０ａ、１２０ｂ、１２０ｃ、１２０ｄを部分的に修正することもできる。
【００７９】
図４ｄを参照すれば、製作された補綴物１４０が提供される。補綴物１４０はフレームワーク（ｆｒａｍｅ ｗｏｒｋ）を通法によって鋳造して形成され、第２スクリューホール１４４はフレームワークとともに形成される。材質の破切を防止するために、交合面まで金属支持ホールを形成することができるが、場合によっては、審美感のために第２スクリューホール１４４の周辺に金属を使わないこともある。補綴物１４０のフレームワークはアバットメント１２０ａ、１２０ｂ、１２０ｃ、１２０ｄに対応して受動的な適合となるように調節され、それぞれ異なる内面１４２ａ、１４２ｂ、１４２ｃ、１４２ｄを形成する。
【００８０】
図４ｅを参照すれば、補綴物１４０およびアバットメント１２０ａ、１２０ｂ、１２０ｃ、１２０ｄの間に永久セメント１５０を介在することで、補綴物１４０およびアバットメント１２０ａ、１２０ｂ、１２０ｃ、１２０ｄを合着する。
【００８１】
アバットメント１２０ａ、１２０ｂ、１２０ｃ、１２０ｄを合着する前、補綴物１４０を試適することができる。補綴物１４０を試適する時には、図示のように、補綴物１４０なしに、アバットメント１２０ａ、１２０ｂ、１２０ｃ、１２０ｄを一つずつフィクスチャー１１０に再位置させることができる。口腔内でのアバットメントの再位置はフィクスチャーの結合突起状にマッドロックアバットメントの密着孔が存在することにより行える。
【００８２】
これはアバットメントの重要な特徴中の一つである。何故ならば、各アバットメント１２０ａ、１２０ｂ、１２０ｃ、１２０ｄは、最適の補綴物製作のために、上部構造が変形加工されてそれぞれ異なる形態を有する。したがって、各アバットメント１２０ａ、１２０ｂ、１２０ｃ、１２０ｄがフィクスチャーに連結される時、正確な位置と角度で連結されなければならない。アバットメントが少しでも回転してほかの角度で連結されれば、既製作された補綴物１４０が適合しないことになる。
【００８３】
さらにほかの方法としては、すべてのアバットメント１２０ａ、１２０ｂ、１２０ｃ、１２０ｄを補綴物１４０に入れ、第２スクリューホール１４４を通じて一度にフィクスチャー１１０に連結することができる。補綴物１４０が正確に合わなくてよく連結されないアバットメントがあり得る。この時は、スクリューを少しだけ解いて補綴物１４０のみを分離した後、よく連結されないアバットメントを密着孔に合わせて再位置させた後、スクリューを締め付けれた解決することができる。
【００８４】
第２スクリューホール１４４ａ、１４４ｂ、１４４ｃ、１４４ｄを通じてスクリュー１３０の締め付けおよび解けを調節することができ、補綴物１４０が何らの抵抗なしにアバットメント１２０ａ、１２０ｂ、１２０ｃ、１２０ｄに定着され、辺縁が完璧に適合するまでアバットメント１２０ａ、１２０ｂ、１２０ｃ、１２０ｄを調節することができる。
【００８５】
補綴物１４０の試適によりアバットメント１２０と補綴物１４０間の適合を調節した後、アバットメント１２０の第１スクリューホール１２４にガーゼ（ｇａｕｚｅ）または綿（ｃｏｔｔｏｎ）を満たす。ガーゼまたは綿どの補助充填材を満たす理由は、アバットメント１２０を合着する過程で、第１スクリューホール１２４にセメントが流入して第１スクリューホール１２４を塞いでしまうことを防止するためである。
【００８６】
その後、アバットメント１２０と補綴物１４０との間に永久セメント１５０を介在させた後、アバットメント１２０および補綴物１４０を合着する。永久セメント１５０としては、Ｒｅｓｉｎ ｌｕｔｉｎｇ ｃｅｍｅｎｔなどが使用可能である。
【００８７】
一定時間が経つにしたがい、永久セメント１５０が高まりアバットメント１２０および補綴物１４０が合着される。
【００８８】
図４ｆを参照すれば、アバットメント１２０および補綴物１４０が合着された後、第１スクリューホール１２４に充填された補助充填材を除去する。その後、第１および第２スクリューホール１２４、１４４を通じてすべてのスクリュー１３０を解くことで、アバットメント１２０ａ、１２０ｂ、１２０ｃ、１２０ｄおよび補綴物１４０をフィクスチャー１１０から分離することができる。この際、アバットメント１２０ａ、１２０ｂ、１２０ｃ、１２０ｄは補綴物１４０に合着して一体の補綴部を形成する。
【００８９】
従来のセメント維持型補綴ＣＲＰとは違い、アバットメント１２０および補綴物１４０を合着した後にも補綴部を分離することができる。これは、第２スクリューホール１４４ａ、１４４ｂ、１４４ｃ、１４４ｄを通じてすべてのスクリュー１３０を除去することができるからであり、かつ改良されたアバットメント１２０の内部に構造的に余裕空間が提供されるからである。
【００９０】
アバットメント１２０ａ、１２０ｂ、１２０ｃ、１２０ｄおよび補綴物１４０で構成された補綴部を分離した後、アバットメント１２０および歯肉周辺の残余セメントを除去することができ、補綴物１４０の辺縁を研磨して適合状態を細密に調節することができる。
【００９１】
最終の仕上げとして、補綴部を口腔内に挿入しスクリュー１３０でフィクスチャー１１０に固定し、第２スクリューホール１４４ａ、１４４ｂ、１４４ｃ、１４４ｄにそれぞれ合成樹脂またはセラミックス素材を充填して第２スクリューホール１４４ａ、１４４ｂ、１４４ｃ、１４４ｄを閉鎖することで、ＳＣＲＰインプラントの施術方法を完成する。
【実施例２】
【００９２】
図５ａは本発明の第２実施例によるＳＣＲＰインプラントの断面図であり、図５ｂは第２実施例によるＳＣＲＰインプラントの分離過程を説明するための断面図である。
【００９３】
図５ａを参照すれば、第２実施例によるＳＣＲＰインプラントはフィクスチャー１１０、アバットメント１２０、スクリュー１３０および補綴物１６０を含む。補綴物１６０を除いたフィクスチャー１１０、アバットメント１２０、およびスクリュー１３０については第１実施例説明および図面を参照することができ、反復内容は省略することができる。
【００９４】
フィクスチャー１１０の上面には六角柱状の結合突起１１２が形成され、結合突起１１２の中心線に沿って、フィクスチャー１１０には、スクリュー１３０に対応するネジホールが形成される。アバットメント１２０は結合突起１１２を収容するための収容部を含み、収容部は結合突起１１２の形状に対応して六角柱状に形成される。アバットメント１２０の中心には第１スクリューホール１２４が形成され、第１スクリューホール１２４を通じてスクリュー１３０はフィクスチャー１１０と締結される。
【００９５】
補綴物１６０は金属フレームワーク１６２およびポーセレン６４の重層構造で構成され、金属フレームワーク１６２には第１スクリューホール１２４に対応するホールが形成され、金属フレームワーク１６２上にはポーセレン１６４が歯牙形状に形成される。たいてい、従来の補綴物も金属フレームワークおよびポーセレンの構造を有するが、金属フレームワークにホールが形成されない。これと異なり、本実施例によるＳＣＲＰインプラントの補綴物１６０は、金属フレームワーク１６２にホールが形成される。ホールが形成された金属フレームワーク１６２上にポーセレン１６４を形成することにより、インプラントを施術した直後に第２スクリューホールに相当する部位１６６Ｐが外部に露出しなくて審美的な見掛けを形成することができ、施術直後の異質感を著しく軽減することができる。また、微細なドリルＤなどを用いて、後に第２スクリューホール１６６を形成することができ、第１および第２スクリューホール１２４、１６６を通じてスクリュー１３０を易しく分離することができる。本実施例の施術方法は第１実施例によるＳＣＲＰインプラント施術方法の変形であって、第２スクリューホール１６６を後に形成することを特徴とする。
【００９６】
第２スクリューホール１６６を形成することにより、合着されたアバットメント１２０および補綴物１４０をフィクスチャー１１０から容易に分離することができ、アバットメント１２０および補綴物１４０をフィクスチャー１１０に易しく再装着することができる。
【００９７】
アバットメント１２０の外面１２２および金属フレームワーク１６２の内面はおよそ対応する形状を有するが、まったく一致しない。すなわち、セメント維持型インプラントと同様に、アバットメント１２０と補綴物１６０との間に余裕空間を提供することにより、補綴物１６０がアバットメント１２０に受動的に適合することができる。この際、アバットメント１２０と補綴物１６０との間には歯科用セメントが介在されることにより、アバットメント１２０および補綴物１６０を合着する。
【００９８】
図６は第２実施例と類似した本発明のほかの実施例によるＳＣＲＰインプラントの断面図である。
【００９９】
図６を参照すれば、本実施例によるＳＣＲＰインプラントもフィクスチャー１１０、アバットメント１２０、スクリュー１３０および補綴物１６０−１を含む。
【０１００】
補綴物１６０−１は、金属フレームワークなしに、ポーセレン１６４−１で構成される。本実施例によるＳＣＲＰインプラントの補綴物１６０−１が合着された後、第２スクリューホールに相当する部位１６６Ｐ−１が外部に露出しないので、審美的な見掛けを形成することができ、施術直後の異質感を著しく軽減することができる。また、微細なドリルＤなどを用いて、後に第２スクリューホールを形成することができ、第１および第２スクリューホールを通じてスクリュー１３０を易しく分離することができる。本実施例の施術方法も第１実施例によるＳＣＲＰインプラント施術方法の変形であって、第２スクリューホールを後に形成することを特徴とする。
【実施例３】
【０１０１】
図７は本発明の第３実施例によるＳＣＲＰインプラント用アバットメントの使用例を説明するためのＳＣＲＰインプラントの部分断面図であり、図８は図７のアバットメントを底面から見た部分切開斜視図であり、図９は図７のアバットメントの低面図である。図７〜図９に示すインプラントおよびアバットメント２００は外部連結方式によるものであり、フィクスチャー１１０およびスクリュー１３０に関する説明は第１実施例の説明および図面を参考することができ、反復内容は省略することができる。
【０１０２】
図７〜図９を参照すれば、インプラントはフィクスチャー１１０、アバットメント２００、およびスクリュー１３０を含む。
【０１０３】
フィクスチャー１１０は外面に形成されたネジ部１１４を含み、フィクスチャー１１０はネジ部１１４に沿って歯槽骨に植え込まれる。
【０１０４】
フィクスチャー１１０の上面には六角柱状の結合突起１１２が突設され、結合突起１１２およびフィクスチャー１１０の軸線に沿ってネジホールが形成され、スクリュー１３０のネジ部と締結される。
【０１０５】
アバットメント２００は一体に構成されたアバットメント本体２１０でなり、第１スクリューホール２２０、２２５が本体２１０を上下に貫通して形成される。第１スクリューホール２２０、２２５は相違なる直径に形成されて段をなし、前記段にスクリュー１３０のヘッドが支持される。スクリュー１３０は大径の第１スクリューホール２２０を通じてアバットメント２００内に挿入される。
【０１０６】
アバットメント２００の下部には、フィクスチャー１１０の結合突起１１２を収容するための収容部２３０が形成され、収容部２３０は密着孔２４０および余裕孔２５０に区分される。
【０１０７】
密着孔２４０は結合突起１１２とほぼ同一の寸法（少しの公差がある）の六角柱状の内面を提供して結合突起１１２の上端部と密着する。余裕孔２５０は密着孔２４０の下端から斜めに形成された円錐形の傾斜面によって形成され、結合突起１１２が容易に分離および再装着されることができる余裕空間を提供する。余裕孔２５０は喇叭管状に伸び、従来の六角セメント維持型アバットメントの下部を円錐状に切削して製作することもできる。
【０１０８】
余裕孔２５０の傾斜面は結合突起１１２の外面から約１５°程度傾いている。本発明によれば、傾斜面の角度は約２〜４５°が望ましい。約４５°以上の角度が形成されれば、フィクスチャー１１０の表面とアバットメント２００の接触面があまり狭くなってアバットメント２００の安全性を阻害する。
【０１０９】
また、密着孔２４０の深さが収容部２３０の深さの約２／３以下の時、アバットメント２００が安定にフィクスチャー１１０に装着されることができる。密着孔２４０の深さが深いほど、アバットメント２００の装着および分離が難しくなり、密着孔２４０の深さがあまり浅ければ結合突起１１２と密着孔２４０が空転することになるので、アバットメント２００が易しく帰ることができる。また、結合突起１１２と密着孔２４０間の公差によっても影響を受けることができる。したがって、密着孔２４０の深さは適切に維持されなければならない。本発明によれば、密着孔２４０の深さは収容部２３０の深さの約１０〜８０％が適当である。本実施例において、フィクスチャー１１０の表面直径が約４．１ｍｍであり、収容部の深さは約０．７〜１．０ｍｍ程度であり、密着孔２４０の深さは約０．１〜０．６ｍｍである。フィクスチャーのほかの構成によれば、辺縁の直径が約５．０ｍｍ、約５．５ｍｍ、約６．０ｍｍなど多様に調節されることができ、これによって収容部および密着孔の寸法も多様に変更可能である。
【０１１０】
図１０は第３実施例によるアバットメントとフィクスチャーとの間の結束を説明するための正面図である。
【０１１１】
図１０を参照すれば、補綴物１４０およびアバットメント２００がフィクスチャー１１０から分離される時、結合突起１１２の上端部が密着孔２４０から離脱すると、結合突起１１２の周辺には余裕空間Ｓが生成される。このような余裕空間Ｓによって、アバットメント２００の収容部２３０はフィクスチャー１１０から容易に分離されることができる。
【０１１２】
また、再装着時にも、結合突起１１２がアバットメント２００の収容部２３０に接近するにつれて、収容部２３０の密着孔２４０に結合突起１１２がすぐ挿入されて固定されることができるが、大部分は結合突起１１２の一部が余裕孔２５０の傾斜面に先に接触することになる。結合突起１１２は傾斜面に沿って密着孔２４０に案内され、アバットメント２００もフィクスチャー１１０に容易に装着できる。
【０１１３】
すなわち、余裕空間Ｓによってアバットメント２００が容易に分離および装着されることができる。このような特性は、二つ以上のインプラントを一体に形成して施術する場合にもっと明らかに表される。
【０１１４】
図１１は第３実施例によるアバットメントの使用例を説明するための部分断面図であって、二つのインプラント補綴物を一体に製作して施術する使用例を示すものである。
【０１１５】
図１１を参照すれば、二つのフィクスチャー１１０が歯槽骨（図示せず）に植え込まれて固定されており、フィクスチャー１１０は互いに平行でなくて一定角度に傾いている。一方、二つの歯牙に相当する補綴物１４０が一体に成形されており、補綴物１４０の下部にはアバットメント２００が合着されている。
【０１１６】
一体に合着された補綴物１４０およびアバットメント２００をフィクスチャー１１０から分離するため、第２スクリューホール１４４ａ、１４４ｂを通じてスクリューが除去され、補綴物１４０およびアバットメント２００を同時に引き取る。
【０１１７】
図示のように、スクリューが除去されアバットメント２００が少しだけ移動することにより、結合突起１１２の周辺には余裕空間Ｓが設けられ、前記余裕空間Ｓによって補綴物１４０およびアバットメント２００が容易に分離されることができる。反対に、一体の補綴物１４０およびアバットメント２００はフィクスチャー１１０に容易に結束されることができる。
【０１１８】
しかし、従来の六角アバットメントは、フィクスチャーに同一位置に再位置されることができるという利点があるが、図１１の場合と同一の条件で、収容部の入口端部がフィクスチャーの結合突起１１２にかかって、結合突起１１２が分離されることを妨害するため、フィクスチャー１１０から容易に分離することができない。勿論、アバットメントおよびフィクスチャーが相互ねじられていれば、互いに違う方向に向かうアバットメントがフィクスチャーに容易に結束されることもできない。
【０１１９】
これと比較する時、本実施例によるアバットメントは再位置が容易に行えるという利点とともに、図４ｆに示すように合着されたアバットメントおよび補綴物を分離する過程にもっと有用に適用されることができる。
【実施例４】
【０１２０】
図１２は本発明の第４実施例によるアバットメントを底面から見た部分切開斜視図であり、図１３は第４実施例によるアバットメントとフィクスチャー間の結束を説明するための正面図である。図１２および図１３に示すアバットメント２０１は円筒状の余裕孔２６０を有することを特徴とし、そのほかの構成および機能は以前の実施例の構成および機能と実質的に同一である。したがって、本実施例の説明は以前実施例の説明および図面を参照することができ、反復内容は省略することができる。
【０１２１】
図１２および図１３を参照すれば、インプラントは、フィクスチャー１１０、アバットメント２０１、およびスクリュー１３０を含み、アバットメント２０１は、第１スクリューホール２２０を通じて挿入されるスクリュー１３０によってフィクスチャー１１０に固定される。
【０１２２】
アバットメント２０１は一体に構成されたアバットメント本体２１０からなり、第１スクリューホール２２０、２２５が本体２１０を上下に貫通して形成される。
【０１２３】
アバットメント２０１の下部には、フィクスチャー１１０の結合突起１１２を収容するための収容部２３１が形成され、収容部２３１は密着孔２４０および余裕孔２６０に区分される。密着孔２４０は結合突起１１２に対応する六角柱状の内面を提供し、結合突起１１２の上端部と密着する。余裕孔２６０は密着孔２４０の下端から階段形に形成され、密着孔２４０より大きい寸法の円柱状の空間を提供する。したがって、余裕孔２６０は、結合突起１１２が容易に分離および再装着されるようにする余裕空間Ｓを提供する。
【０１２４】
第３実施例の傾いた余裕孔２５０と比較して、円柱状の余裕孔２６０はほぼ同等の効果を得ることができる。
【０１２５】
本実施例においても、アバットメント２０１がフィクスチャー１１０から分離される時、結合突起１１２の上端部が密着孔２４０から離脱することにより、結合突起１１２の周辺に余裕空間Ｓが生成され、余裕空間Ｓによって、アバットメント２０１の収容部２３１はフィクスチャー１１０から容易に分離されることができる。また、際装着時にも、アバットメント２０１はフィクスチャー１１０に容易に装着されることができる。
【実施例５】
【０１２６】
図１４は本発明の第５実施例によるアバットメントを底面から見た部分切開斜視図である。図１４に示すアバットメント２０２は、第３実施例の傾斜形余裕空間と第４実施例の階段形余裕空間を効率的に組み合わせた複合型余裕孔２５５を有することを特徴とし、その以外の構成および機能は以前実施例の構成および機能と実質的に同一である。
【０１２７】
したがって、本実施例説明は以前実施例の説明および図面を参照することができ、反復内容は省略することができる。
【０１２８】
図１４を参照すれば、インプラントは、フィクスチャー、アバットメント２０１、およびスクリューを含み、アバットメント２０１は、第１スクリューホール２２０を通じて挿入されるスクリューによって、フィクスチャー１１０に固定される。
【０１２９】
アバットメント２０１は一体に構成されたアバットメント本体２１０からなり、第１スクリューホール２２０、２２５が本体２１０を上下に貫通して形成される。
【０１３０】
アバットメント２０１の下部には、フィクスチャーの結合突起を収容するための収容部２３２が形成され、収容部２３２は密着孔２４０および余裕孔２５５に区分される。密着孔２４０は結合突起に対応する六角柱状の内面を提供し、結合突起の上端部と密着する。
【０１３１】
余裕孔２５５は密着孔２４０の下端から円錐形に斜めに形成された傾斜形余裕空間を部分的に含み、傾斜形余裕空間の下端からまた階段形に形成された階段形余裕空間を含む。階段形余裕空間は傾斜形余裕空間より大きい寸法を有し、円柱状に形成される。本実施例による余裕孔２５５を製造するため、第３実施例のように、まず円錐形の余裕空間を形成した後、第４実施例のように、円柱状の余裕空間を形成する手順に余裕孔２５５を形成することができる。
【０１３２】
第３実施例の余裕孔２５０のように、余裕孔がただ傾斜形のみに形成される場合、十分な空間を有する余裕孔を形成するために、密着孔２４０の高さがあまり低くなる傾向があるため、アバットメントとフィクスチャー間の結束が不安な場合が多かった。しかし、本実施例のように、余裕孔２５５の上部は傾斜形に、下部は階段形に形成することで、密着孔２４０の高さを十分に高く形成することができ、アバットメントとフィクスチャー間の安定した結束を形成することができる。
【０１３３】
本実施例においても、アバットメント２０２がフィクスチャーから分離される時、結合突起の上端部が密着孔２４０から離脱することにより、結合突起の周辺には余裕空間が生成され、この余裕空間によって、アバットメント２０２の収容部２３２はフィクスチャーから容易に分離されることができる。
【実施例６】
【０１３４】
図１５は本発明の第６実施例によるアバットメントを底面から見た部分切開斜視図である。図１５に示すアバットメント２０３は、第３実施例の余裕孔２５０のように傾斜形に形成されたものであるが、密着孔２４０および余裕孔２７０の連結部位に湾入部２７２を含むことを特徴とし、そのほかの構成および機能は以前の実施例の構成および機能と実質的に同一である。したがって、本実施例の説明は以前の実施例の説明および図面を参照することができ、反復内容は省略することができる。
【０１３５】
図１５を参照すれば、インプラントは、フィクスチャー、アバットメント２０３、およびスクリューを含み、アバットメント２０３は、第１スクリューホール２２０を通じて挿入されるスクリューによってフィクスチャーに固定される。
【０１３６】
アバットメント２０３は一体に構成されたアバットメント本体２１０からなり、第１スクリューホール２２０、２２５が本体２１０を上下に貫通して形成される。
【０１３７】
アバットメント２０３の下部には、フィクスチャーの六角形結合突起を収容するための収容部２３３が形成され、収容部２３３は密着孔２４０および余裕孔２７０に区分される。密着孔２４０は結合突起に対応する六角柱状の内面を提供し、結合突起の上端部と密着する。
【０１３８】
余裕孔２７０は、第３実施例と同様に、密着孔２４０の下端から斜めに形成された傾斜形余裕空間を含み、結合突起は傾斜形余裕空間に沿って収容部２３３内に進入するかまたは分離されることができる。また、密着孔２４０と余裕孔２７０の連結部位のうち、収容部２３３の入口に隣接した一部、すなわち密着孔２４０の角部と余裕孔２７０の傾斜面が合う部位に部分的に湾入した湾入部２７２が形成される。湾入部２７２が形成された部位は収容部２３３の入口に向かって密着孔２４０が伸びた部分であり、密着孔２４０の高さが高く形成される場合、結合突起と相互干渉してフィクスチャーの結束および分離を妨害することができる。したがって、湾入部２７２は部分的に湾入して結合突起の移動を円滑にすることができる。
【０１３９】
また、第３実施例の余裕孔２５０のように、余裕孔がただ傾斜形のみに形成される場合、十分な空間を有する余裕孔を形成するために、密着孔２４０の高さがあまり低くなる傾向があるため、アバットメントとフィクスチャー間の結束が不安な場合が多かった。しかし、本実施例のように、余裕孔２７０を傾斜形に形成するとともに湾入部２７２を形成することにより、密着孔２４０の高さを十分に高く形成することができ、アバットメントとフィクスチャー間の安定的な結束をなすことができる。
【０１４０】
本実施例においても、アバットメント２０３がフィクスチャーから分離される時、結合突起の上端部が密着孔２４０から離脱すると、結合突起の周辺には余裕空間が生成され、余裕空間によってアバットメント２０３の収容部２３３はフィクスチャーから容易に分離されることができる。
【産業上の利用可能性】
【０１４１】
本発明によれば、ＳＣＲＰインプラントの施術方法は、ネジ維持型およびセメント維持型の利点を全て採択し、両方式の欠点を解決して、インプラント補綴が要求する大部分の条件を満足する。
【０１４２】
言い換えれば、インプラントと補綴物との間に受動的適合を易しく得ることができ、スクリューの締め付けを適切に調節してネジの解けを減らし、ネジが緩んでも、補綴物の損傷なしに再び締め付けることができ、セメント維持型より補綴物の分離および装着が用意であり、永久セメントを負担なく使用して脱落の危険が少なく、小さい顎間距離でも適用することができる。また、歯肉縁下のセメントを易しく除去して補綴物境界部を研磨することができ、手作業過程が簡単であり、臨床的術式が簡単であり、時間および費用を著しく節減することができ、制約が少なくて補綴物金属の種類選択が自由であり、即刻のインプラント施術に非常に有利であり、ほぼ大部分の症例に適用することができ、多数のインプラント補綴において一つのアバットメントのセメントが脆弱または不良であっても補綴物の損傷なしに分離して再び合着することができ、ネジを強く締め付けてもインプラントに無理な力が加えられないので、骨質が弱いインプラントにも所望のトルクでネジを締め付けることができる。
【０１４３】
また、本発明によるアバットメントは、フィクスチャーと結束される収容部に密着孔および余裕空間を形成する。したがって、密着孔にしたがって、アバットメントがフィクスチャーにそれぞれ再位置されることができ、余裕空間にしたがって、アバットメントおよび補綴物は合着された後にもフィクスチャーから容易に分離されることができ、容易に再装着されることができる。特に、一つの補綴物に２以上のアバットメントを一体に固定する場合、余裕空間はフィクスチャーの結合突起が容易に分離されるようにし、密着孔はアバットメントがフィクスチャーに定位置することができるように案内する。
【０１４４】
また、補綴物およびアバットメントをフィクスチャーに対して容易に分離および再装着することができるので、インプラントの破切またはネジ解けの場合、インプラントを簡単に維持、補修および入れ替ることができる。
【０１４５】
また、従来の大部分のアバットメントの構造を基にして本発明によるアバットメントを具現することができるので非常に経済的である。
【０１４６】
上述したように、本発明の望ましい実施例を参照して説明したが、当該技術分野の熟練者であれば、下記の特許請求範囲に記載した本発明の思想および領域から外れない範囲内で本発明を多様に修正および変更可能であることが理解することができる。
【図面の簡単な説明】
【０１４７】
【図１】（ａ）は従来のＵＣＬＡアバットメントを用いたネジ維持型補綴を示す断面図である。（ｂ）は従来の中間アバットメントを用いたネジ維持型補綴を示す断面図である。
【図２】は従来のセメント維持型補綴を示す断面図である。
【図３】本発明の第１実施例によるＳＣＲＰインプラントの断面図である。
【図４】（ａ）〜（ｆ）は第１実施例によるＳＣＲＰインプラントの施術方法を説明するための断面図である。
【図５】（ａ）は本発明の第２実施例によるＳＣＲＰインプラントの断面図である。（ｂ）は第２実施例によるＳＣＲＰインプラントの分離過程を説明するための断面図である。
【図６】第２実施例と類似した本発明のほかの実施例によるＳＣＲＰインプラントの断面図である。
【図７】本発明の第３実施例によるＳＣＲＰインプラント用アバットメントの使用例を説明するためのＳＣＲＰインプラントの部分断面図である。
【図８】図７のアバットメントを底面から見た部分切開斜視図である。
【図９】図７のアバットメントの低面図である。
【図１０】第３実施例によるアバットメントとフィクスチャー間の結束を説明するための正面図である。
【図１１】第３実施例によるアバットメントの使用例を説明するための部分断面図である。
【図１２】本発明の第４実施例によるアバットメントを底面から見た部分切開斜視図である。
【図１３】第４実施例によるアバットメントとフィクスチャー間の結束を説明するための正面図である。
【図１４】本発明の第５実施例によるアバットメントを底面から見た部分切開斜視図である。
【図１５】本発明の第６実施例によるアバットメントを底面から見た部分切開斜視図である。
2006520248.tif 000003
2006520248.tif 000004
【図２】
2006520248.tif 000005
【図３】
2006520248.tif 000006
2006520248.tif 000007
2006520248.tif 000008
2006520248.tif 000009
2006520248.tif 000010
【図６】
2006520248.tif 000011
【図７】
2006520248.tif 000012
【図８】
2006520248.tif 000013
【図９】
2006520248.tif 000014
【図１０】
2006520248.tif 000015
【図１１】
2006520248.tif 000016
【図１２】
2006520248.tif 000017
【図１３】
2006520248.tif 000018
【図１４】
2006520248.tif 000019
【図１５】
2006520248.tif 000020
【国際調査報告】
2006520248.tif 000021
2006520248.tif 000022
2006520248.tif 000023